(57)【要約】【課題】任意の打設角度にアンカーを確実にセットでき、固定台座の使い捨てを防止でき、資材の有効利用が図れるアースアンカー固定台座を得る。【解決手段】上端部にアンカーヘッドが取付けられ、側壁地盤に所定の打設角度で打設されるアースアンカーの固定台座２において、アンカーヘッド受け板４の背面から半月形の角度調整板１２を左右一対突設し、この角度調整板１２の最突出端に係止突起１３を設け、固定台座本体３に前記角度調整板１２の係止突起１３が係止する複数の係止凹部８を形成した半円形の切欠き７を形成した。【選択図】        図１
2008267099.tif 000002
【特許請求の範囲】
【請求項１】
上端部にアンカーヘッドが取付けられ、側壁地盤に所定の打設角度で打設されるアースアンカーの固定台座において、アンカーヘッド受け板の背面から半月形の角度調整板を左右一対突設し、この角度調整板の最突出端に係止突起を設け、固定台座本体に前記角度調整板の係止突起が係止する複数の係止凹部を形成した半円形の切欠きを形成したことを特徴とするアースアンカー固定台座。
【請求項２】
前記左右一対の角度調整板間で、この角度調整板より先端が突出するズレ防止用の防止板をそれぞれの角度調整板に接合した請求項１記載のアースアンカー固定台座。
【請求項３】
腹起しに係止する台座受け板を取付け高さ調整自在に固定台座本体に取付けた請求項１または請求項２に記載のアースアンカー固定台座。
【発明の詳細な説明】
【技術分野】
【０００１】
本発明は、山留め工事現場などで用いるアースアンカーの固定台座に関するものである。
【背景技術】
【０００２】
山留め工事では、図３に示すように側壁地盤に矢板を打ちこむなどの土留盛りを行い、この土留盛りに腹起し２１をあてがい、側壁地盤に打設したＰＣ鋼棒などによるアースアンカー１を固定台座２２を介して緊張することによって腹起し２１を支持するものである。
【０００３】
このアースアンカー１の固定台座２２は、固定台座本体２２ａとアンカーヘッド受け２２ｂとより構成され、従来、例えば図３に示すように固定台座本体２２ａは一対の略楔形の板体で形成され、この固定台座本体２２ａの上部に平板状のアンカーヘッド受け２２ｂが取付けられている。
【０００４】
また、固定台座本体２２ａの背面に腹起し２１に係止する板状のフック部２３を一体に形成し、このフック部２３を腹起し２１に引掛けて位置決めされた状態で固定台座本体２２ａを腹起し２１に取付けている。
【０００５】
ところで、アースアンカー１の打設の入射角度（打設角度）は現場の地質、引抜き負荷などによって異なり、一般的には水平線を規準として３０〜４５度の範囲の角度に傾けて設定される。
【０００６】
かかる異なる打設角度に対応するには、従来は各々の打設角度に対応したアンカー固定用傾斜角を有する固定台座本体とアンカーヘッド受けとを用意している。
【０００７】
かかる不都合を解消するものとして、例えば、一つの固定台座で、所定の異なるアンカー打設角度に対応できる固定台座がある（例えば特許文献１参照）。
【０００８】
これは、上端部にアンカーヘッドが取付けられ、側壁地盤に所定の打設角度に傾けて打設されるアンカーと、アンカー固定面を有し、側壁地盤に固定されるアンカー固定台座と、アンカー固定面に配設された状態でアンカーが貫通するとともに、貫通したアンカーを前記打設角度で固定する支圧板と、アンカー固定台座と支圧板との間に設けられており、前記支圧板をアンカー固定台座に押付けられることによりアンカーヘッドと密着するように支圧板の角度調整を行う調心機構とを備えたものである。
【０００９】
また、現場での地盤条件、山留め条件において設計荷重が異なるため、これに対応するにも使用鋼材の板厚を異ならせた固定台座を現場ごとに用意している。
【００１０】
そして、現場の使用条件に対させたこれら固定台座は、現場ごとに使用を終了するとスクラップとして廃棄処分している。
【特許文献１】特開２００２−２９４７００号公報
【発明の開示】
【発明が解決しようとする課題】
【００１１】
前記特開２００２−２９４７００号公報に記載の発明は、支圧板を回動することで任意の打設角度にアンカーを傾斜させることができるが、支圧板が押付けられた状態ではじめて所定の打設角度に固定されるため、押付ける途中の段階において支圧板が動いてしまうと所定の打設角度に設定できないおそれがある。
【００１２】
また、現場ごとに異なる荷重設計に対応するために、異なる板厚の鋼材を使用することへの対応はなされておらず、使い捨ての状態であり、高騰する鋼材を無駄に消費している。
【００１３】
本発明は前記従来例の不都合を解消するものとして、任意の打設角度にアンカーを確実にセットでき、固定台座の使い捨てを防止でき、資材の有効利用が図れるアースアンカー固定台座を提供するものである。
【課題を解決するための手段】
【００１４】
請求項１記載の発明は、上端部にアンカーヘッドが取付けられ、側壁地盤に所定の打設角度で打設されるアースアンカーの固定台座において、アンカーヘッド受け板の背面から半月形の角度調整板を左右一対突設し、この角度調整板の最突出端に係止突起を設け、固定台座本体に前記角度調整板の係止突起が係止する複数の係止凹部を形成した半円形の切欠きを形成したことを要旨とするものである。
【００１５】
請求項１記載の発明によれば、半月形の角度調整板が固定台座本体に形成した半月形の切欠きに対して係合状態で自由に摺動する。よって、切欠きに形成してある複数の係止凹部から任意のものを選択してここに係止突起を係合することで、任意の角度でアンカーヘッド受け板が固定台座本体に取付けられ、これにより、アンカーヘッド受け板に固定されるアースアンカーは所定の打設角度で固定される。
【００１６】
請求項２記載の発明は、前記左右一対の角度調整板間で、この角度調整板より先端が突出するズレ防止用の防止板をそれぞれの角度調整板に接合したことを要旨とするものである。
【００１７】
請求項２記載の発明によれば、ズレ防止板を設けることで、左右一対の角度調整板が切欠きに係止した状態で、左右方向へ移動しようとしても角度調整板から突出する部分のズレ防止板が固定台座本体に当接して移動を阻止する。
【００１８】
また、このズレ防止板は、アンカーヘッド受けから突出する板状の角度調整板に接合することで、角度調整板の補強を図ることもできる。
【００１９】
請求項３記載の発明は、腹起しに係止する台座受け板を取付け高さ調整自在に固定台座本体に取付けたことを要旨とするものである。
【００２０】
請求項３記載の発明によれば、台座受け板は、固定台座本体に高さ調節自在に取付けられるから、現場の条件により腹起しの高さ方向の位置が変っても、一つの固定台座でこれに対処できる。
【発明の効果】
【００２１】
以上述べたように本発明のアースアンカー固定台座は、アンカーヘッド受け板に設けた角度調整板に形成した係止突起を、固定台座本体に形成した切欠きに設けた複数の係止凹部から任意のものを選択してこれに係合させるだけで、任意の打設角度にアンカーを確実にセットでき、一つの固定台座で複数種類のアースアンカー打設角度を設定できるから、固定台座の使い捨てを防止でき、資材の有効利用が図れる。
【発明を実施するための最良の形態】
【００２２】
以下、図面について本発明の実施形態を詳細に説明する。図１は本発明のアースアンカー固定台座の実施形態を示す分解斜視図、図２は同上側面図で、アースアンカー固定台座２は、固定台座本体３とアンカーヘッド受け板４とで構成される。
【００２３】
固定台座本体３の全体形状は、略楔形の板体３ａの一対を向い合せ、板体３ａに形成される下方の傾斜部を結合板５ａで、上方の水平部を結合板５ｂで結合したもので、上方の傾斜部に半月形の切欠き７を形成し、この切欠き７に適宜間隔、例えば５度刻みでアンカーヘッド受け板４を係止する係止凹部８を複数設けた。
【００２４】
また、板体３ａの背面側から後方に向けて腹起し２１に係止する台座受け板９を高さ調節自在に取付ける。高さ調節自在とするための手段としては、板体３ａと台座受け板９とに縦方向に複数のボルト孔１０ａ、１０ｂをそれぞれ穿設しておき、いずれかの高さ位置のボルト孔１０ａを選択して、このボルト孔１０ａにボルト孔１０ｂを合致させ、ボルト１１で台座受け板９を板体３ａに固定する。
【００２５】
アンカーヘッド受け板４は、固定台座本体３の上方の傾斜部に取付けられるもので、板体５ａの背面から前記切欠き７に嵌る半月形の角度調整板１２を一対突設し、この角度調整板１２の最突出端に係止突起１３を形成した。
【００２６】
また、左右一対の角度調整板１２間で、この角度調整板１２より先端が突出するように、ズレ防止用の防止板１４をそれぞれの角度調整板１２の内側又は外側に接合する。
【００２７】
次に使用法について説明する。アースアンカーを所定の打設角度で打設するには、固定台座本体３に形成してある複数の係止凹部８のうちから、この所定の打設角度に対応するものを選択し、この係止凹部８にアンカーヘッド受け板４に形成してある係止突起１３を嵌合させて、角度調整板１２を切欠き７に嵌めこみ、アンカーヘッド受け板４を固定台座本体３に結合する。
【００２８】
これにより、所定の打設角度でアンカーヘッド受け板４が固定台座本体３に取付けられ、アースアンカー１がこの打設角度で打設される。別の打設角度を選択する場合は、ともに半月形の角度調整板１２を切欠き７内でスライドさせればよく、簡単に所定の打設角度に設定できる。
【００２９】
この状態でズレ防止用の防止板１４が固定台座本体３の板体３ａの内側に当接するから、アンカーヘッド受け板４の水平横移動が阻止され、角度調整板１２が左右横方向に移動して切欠き７から外れることを防止でき、角度調整板１２を切欠き７内に確実に係止できて所定の打設角度にアンカーヘッド受け板４を保持できる。
【００３０】
また、打設角度の値によって固定台座２に対しての腹起し２１の位置が変化するが、これに対応するには、台座受け板９を上下にスライドさせ、腹起し２１に合致する高さ位置で、板体３ａに形成したボルト孔１０ａと台座受け板９に形成したボルト孔１０ｂとを合致させボルト１１で台座受け板９を板体３ａに固定する。
【００３１】
なお、現場での地盤条件、山留条件において、設計荷重が異なり台座の使用鋼材の板厚を異ならせる必要があるが、これに対しては、設計荷重のある段階毎で区切り、少し厚みのある板厚で対処する。
【図面の簡単な説明】
【００３２】
【図１】本発明のアースアンカー固定台座の実施形態を示す分解斜視図である。
【図２】本発明のアースアンカー固定台座の実施形態を示す側面図である。
【図３】従来のアースアンカー固定台座を示す側面図である。
【符号の説明】
【００３３】
１  アースアンカー              ２  固定台座
３  固定台座本体                ３ａ  板体
４  アンカーヘッド受け板        ５ａ、５ｂ  結合板
７  切欠き                      ８  係止凹部
９  台座受け板                  １０ａ、１０ｂ  ボルト孔
１１  ボルト                    １２  角度調整板
１３  係止突起                  １４  防止板
２１  腹起し                    ２２  固定台座
２２ａ  固定台座本体            ２２ｂ  アンカーヘッド受け
２３  フック部
【図１】
2008267099.tif 000003
【図２】
2008267099.tif 000004
【図３】
2008267099.tif 000005